(57)【要約】【課題】  本発明は、日捲りカレンダーを構成する各部品を可燃性の紙類、木類および繊維類とすることにより廃棄の際に分別することなくそのままの状態で捨てることができる日捲りカレンダーを提供することを目的とするものである。【解決手段】  本発明の日捲りカレンダー１は、多数枚の日捲り紙２を重ねて引き揃えた冊子３と、この冊子３の上端縁を木製の係留ピン４によって挟着する厚紙により形成される枠体５と、この枠体５の上端に取り付けられる吊り紐６とから構成されることで使用後に分別せずに一般ゴミとして廃棄することができる構成とするものである。【選択図】        図１
2007044990.tif 000002
【特許請求の範囲】
【請求項１】
厚紙によって表板と背板と天板とによって断面コ字形状に形成される枠体と、
前記枠体の表板と背板との間に嵌め入れられる多数枚の日捲り紙を重ねて引き揃えた冊子と、
前記枠体の表板と背板との間に嵌め入れられた冊子に貫通される複数の係留ピン挿通用穴と、
前記係留ピン挿通用穴に挿し込み前記枠体に取り付ける木製の係留用ピンと、
前記枠体に挟持される冊子を構成する日捲り紙の該枠体手前に水平状に設けられる剥ぎ取り用の破断線とから構成され、
前記天板は厚紙よる補強板によって２枚重ねとされ、該天板および補強板に所定間隔を設けて貫設される吊り紐挿通用穴に吊り紐を挿通する
ことを特徴とする日捲りカレンダー。
【請求項２】
前記破断線は、接続部の保持幅を極力狭く、かつ接続部の個数を極力すくなくすることによって前記日捲り紙を剥ぎ取る際の枠体への負荷を軽減するごとき構成とする
ことを特徴とする請求項１または２記載の日捲りカレンダー。
【発明の詳細な説明】
【技術分野】
【０００１】
本発明は、日捲りカレンダーに関する。詳しくは日捲り紙を掴持する枠体や止め具に金属を使用せずに紙類の可燃性物質によって形成する日捲りカレンダーに係るものである。
【背景技術】
【０００２】
従来の日捲りカレンダーの掛け止め手段には、多数枚の日捲り紙を重ねて引き揃えた冊子の上端縁部を枠体内へ挟み込み、枠体に紐装着環を固定して、これに繊維性の紐を装着した構成のものや、予め紐端部を引き出した枠体に冊子の上端縁部を挟着した後、引き出されている紐端部相互を結び合わせて吊り紐としたものが一般的である。
【０００３】
いっぽう、日捲りカレンダーでは日毎に一枚ずつ冊子を引きちぎる度に、枠体と冊子との挟着部分に荷重がかかるために前記日捲りカレンダーでは、枠体と冊子とを複数のホッチキスなどの止め金具によって止める必要がある。
【０００４】
しかし日捲りの冊子（３６５枚）の重量と日捲りの際の荷重に耐え得るために、冊子を挟着する枠体は金属製や硬質プラスチック材などで形成され、また枠体と冊子との挟着に多数の金属製止め金具が使われているために、使用後の日捲りカレンダーを捨てる場合に、金属製、あるいは硬質プラスチック製の枠体や金属製止め金具と、残りの冊子とを取り外して分別する手間が生じる問題や金属製の枠体の角で手を切るなどのおそれがあり、安全性の点で問題がある。
【０００５】
そこで、例えば図６に示すように日捲りカレンダーがある。この日捲りカレンダーは、多数枚のカレンダー用紙片１０１を重ね合わせた紙片集合体１０２の前面の上辺部分と、上端面と、背面の少なくとも上辺部分とを、厚紙を断面コ字形に折り曲げて形成したカバー１０３によって覆い、この紙片集合体１０２のカバー１０３によって覆われた部分に貫通孔を形成し、この貫通孔に合成樹脂製のピン１０４を差し入れて紙片集合体１０２とカバー１０３とを一体化した構成とする（特許文献１参照。）。
【０００６】
また、図７に示す日捲りカレンダーは、表板１０５と背板１０６と裏板１０７とによって断面コ字形に形成した枠体１０８の前記表、裏板１０５、１０７の間に、多数枚の日捲り紙１０９を重ねて引き揃えた冊子１１０の上端縁部に綴じ金具１１１が穿設されて綴着され、枠体１０８には吊り部材１１２が装着された構成とする（特許文献２参照。）。
【０００７】
【特許文献１】特開平６−３４４６８６号公報（要約書、第１図）
【０００８】
【特許文献２】特開平７−３１４９４１号公報（要約書、第１図）
【発明の開示】
【発明が解決しようとする課題】
【０００９】
しかしながら前記厚紙を使用した特許文献１における日捲りカレンダーの場合には、日捲りの冊子（３６５枚）の重量が厚紙のカバーに貫通される合成樹脂製のピンにかかることになり、しかも各日捲りカレンダーを下方向へ引き抜くようにして剥ぎ取る際.に前記ピンに荷重がかかることにより貫通孔周縁が破損するおそれがある。
【００１０】
また、特許文献２における日捲りカレンダーの場合には、冊子の上縁部を綴じ金具によって綴着することから、日捲りカレンダーを廃棄する場合には枠体を取り外した後に、綴じ金具を残置した冊子の上縁部より引き抜いて分別しなければならず、非常に手間がかかる問題がある。
【００１１】
また、日捲りカレンダーの多くは日捲り紙を引き抜く、あるいはカバーの表板の下端縁に沿って横に引っ張るようにして破断しながら捲り取るためにカバー部分を金属製やプラスチック製により形成することで強度を持たせているものである。
【００１２】
したがって、カレンダーを剥ぎ取る際に、カバーの角部に手が当たって切り傷を負ったり、またカバーの表板の下端縁から捲り粕が残るなどの問題があった。
【００１３】
更に、日捲りカレンダーは壁に紐によって吊るす構成のものが多く、そのために紐の係着部分にカレンダーの全重量がかかることになる。したがって前記特許文献１に示す日捲りカレンダーの場合には、吊り下げ片とカバーとの接続部分にカレンダーの全重量がかかり、かつカレンダーの日捲りの際の負荷により破断するおそれがある。
【００１４】
本発明は、以上の点に鑑みて創案されたものであって、日捲りカレンダーを構成する各部品を可燃性の紙類、木類および繊維類とすることにより廃棄の際に分別することなくそのままの状態で捨てることができる日捲りカレンダーを提供することを目的とするものである。
【課題を解決するための手段】
【００１５】
上記の目的を達成するために、本発明に係る日捲りカレンダーは、厚紙によって表板と背板と天板とによって断面コ字形状に形成される枠体と、前記枠体の表板と背板との間に嵌め入れられる多数枚の日捲り紙を重ねて引き揃えた冊子と、前記枠体の表板と背板との間に嵌め入れられた冊子に貫通される複数の係留ピン挿通用穴と、前記係留ピン挿通用穴に挿し込み前記枠体に取り付ける木製の係留用ピンと、前記枠体に挟持される冊子を構成する日捲り紙の該枠体手前に水平状に設けられる剥ぎ取り用の破断線とから構成され、前記天板は厚紙よる補強板によって２枚重ねとされ、該天板および補強板に所定間隔を設けて貫設される吊り紐挿通用穴に吊り紐を挿通する構成である。
【００１６】
ここで、多数枚の日捲り紙を重ねて引き揃えた冊子を挟持する枠体を厚紙により形成し、かつ係留用ピンを木製によって形成することにより、使用後の日捲りカレンダーを廃棄する際に、従来のように金属部分と紙などの可燃性部分との分別をすることなく一般ゴミとして捨てることが可能となる。
【００１７】
また、吊り紐を取る付ける際に補強板を設けることによって、枠体の天板と補強板との二層構造によって冊子の総重量を支えることになり天板の吊り紐挿通用穴からの天板の破損や枠体の変形を防ぐことができるとともに、補強板を厚くすることで逆に枠体の厚紙を薄くすることができ、枠体のコストダウンが可能となる。
【００１８】
また、破断線を保持幅を極力狭く、かつ接続部の個数を極力すくなくすることによって日捲り紙の剥ぎ取りが容易に行えるとともに、捲り粕が出ず、剥ぎ取る際の枠体への負荷を極力押えることができることで枠体を厚紙によって形成することを可能とするものである。
【発明の効果】
【００１９】
以上の構成よりなる本発明の日捲りカレンダーでは、厚紙による枠体と冊子基部との挟着を木製のピンによって行うことにより、使用後の日捲りカレンダーを分別することなく一般のゴミとして廃棄することが可能となる。
【００２０】
また、本発明では枠体に紐を取り付ける際に厚紙による補強板を用いることによって従来の金属製の枠体による紐の取り付け強度と略同様の強度を得ることが可能となる。
【００２１】
さらに、各日捲りカレンダーの基部に保持幅を極力狭め、かつ保持個所を極力少なくした破断線を設けることにより、めくり易くするとともに、カバーに角で切り傷を負うことがなく、枠体への負荷をできるだけ軽くすることが可能となる。
【発明を実施するための最良の形態】
【００２２】
以下、本発明の実施の形態を図面を参酌しながら説明し、本発明の理解に供する。
図１は、本発明を適用した日捲りカレンダーの一例を示す斜視図、図２（イ）、（ロ）、（ハ）は、図１におけるＡ−Ａ線断面図、図３は、図１におけるＢ−Ｂ線断面図を示す。
【００２３】
ここで示す日捲りカレンダー１は、多数枚の日捲り紙２を重ねて引き揃えた冊子３と、この冊子３の上端縁を係留ピン４によって挟着する枠体５と、この枠体５の上端に取り付けられる吊り紐６とから構成されるものである。
【００２４】
そこで前記冊子３の上端面は接着剤を塗布することによって多数枚の日捲り紙２が互いにバラバラにならないように固着する。そして前記冊子３を構成する各日捲り紙２の上端より下方位置には、破断線７が水平状に設けられるものである。
【００２５】
この破断線７は、接続部９の保持幅を極力狭く、かつ接続部９の個数を極力すくなくすることによって日毎に捲るときに係留ピン４への負荷を極力押えることができるものとする。さらに、前記冊子３の破断線７と上端との間に係留ピン挿通用穴１０が２個貫通されている。
【００２６】
次に枠体５は厚紙により前記冊子３の上端縁の４角が嵌め入れられるように左右の側板１１および表板１２、背板１３並びに天板１４より構成される下端開口状の箱体に形成されるものである。
【００２７】
そこで前記表板１２および背板１３には係留ピン挿通用穴１０Ａがそれぞれ貫通されている。そして天板１４には中心より左右対称とした位置にそれぞれ吊り紐挿通用穴１５が間接される。
【００２８】
そして冊子３の上端の４隅を枠体５によって嵌め入れ、同位置上となるそれぞれの係留ピン挿通用穴１０Ａおよび係留ピン挿通用穴１０に木製により形成される係留ピン４を挿し通し、係止用キャップ１９を取り付け、冊子３を枠体５に取り付けるものである。
【００２９】
なお、本実施例では冊子３に設ける係留ピン挿通用穴１０を２個としているが、冊子３が小さい場合には中央に１個設ける場合もある。
【００３０】
また、図４に示すように、前記枠体５内の天端１４幅を有し、前記吊り紐挿通用穴１５、１５間距離以上の長さとした厚紙より形成される補強板１６には、吊り紐挿通用穴１５Ａが開設される。そしてこの吊り紐挿通用穴１５Ａに紙片を折り重ねた扁平状の吊り紐６の両端を前記補強板１６の裏面を通るように挿し通されて、内側に折り曲げた状態で前記補強板１６の表面に糊付けなどによって接着する。
【００３１】
このように補強板１６を図３に示すように、枠体５の開口内より天板１４と重合させた状態で吊り紐６の両端を天板１４に開設される吊り紐挿通用穴１５および補強板１６に開設される吊り紐挿通用穴１５Ａに挿し通して、内側に折り曲げた状態で係着させることにより環状の吊り紐６が形成される。また、吊り紐挿通用穴１５、１５Ａと係留ピン挿通用穴１０、１０Ａとを同位置とすることによって吊り紐６と補強板１６との係着部分にかかる負荷が係留ピン４によって配分されることで略半分ほど軽減されることになり、厚紙の破損を防ぐことが可能となる。
【００３２】
また、前記係止用キャップ１９による取り付け機構の他に、図５に示すように、係留ピン４は、その基端には前記枠体５の係留ピン挿通用穴１０Ａに係留されるように係留ピン４の径より大とした円錐台形状の頭部１７が設けられ、前記係留ピン４の先端側の円周面には溝部１８が周設される。
【００３３】
したがって、前記枠体５に貫通される係留ピン挿通用穴１０Ａおよび冊子３に貫通される係留ピン挿通用穴１０に係留ピン４をねじ込みようにして挿し通すことにより冊子３に貫通される係留ピン挿通用穴１０が拡径しながら係留ピン４と圧着した状態となり、係留ピン４の基端の頭部１７によって前記枠体５の表板１２とが係留するとともに、係留ピン４の先端の溝部１８が対面の背板１３の係留ピン挿通用穴１０Ａの内周縁に嵌め入れられることによって枠体５内に冊子３が取り付けられる構成となる。
【００３４】
以上の構成よりなる本発明では、吊り紐６は補強板１６を介して枠体５に取り付けられる。したがって冊子３の総重量は補強板１６にかかることになるが枠体５の天板１４に均一に密接するために天板１４と補強板１６との二層構造によって冊子３の総重量を支えることになり天板１４の吊り紐挿通用穴１５からの天板１４の破損や枠体５の変形を防ぐことが可能となる。
【００３５】
また、前記冊子３を構成する各日捲り紙２に設けられる破断線７は、保持幅を極力狭く、かつ接続部９の個数を極力すくなくすることによって日捲り紙２の剥ぎ取りが引き抜く、あるいは横に引っ張るようにして容易に剥ぎ取ることができるとともに、捲り粕が残らず、剥ぎ取る際の係留ピン４への負荷を極力押えることができることで枠体５を厚紙によって形成することを可能とするものである。
【００３６】
さらに、木製の係留ピン４を枠体５と冊子３とに貫通させて取付けることによって冊子３をホッチキスなどの金属製の止め金具によって仮止めする必要性がなく、可燃性の構成部材によって日捲りカレンダーを作成することができるために使用後に分別せずに一般ゴミとして廃棄することが可能となる。
【図面の簡単な説明】
【００３７】
【図１】本発明を適用した日捲りカレンダーの一例を示す斜視図である。
【図２】図１におけるＡ−Ａ線断面における組立て説明図である。
【図３】図１におけるＢ−Ｂ線断面説明図である。
【図４】本発明を適用した日捲りカレンダーの補強板の一例を示す説明図である。
【図５】本発明を適用した日捲りカレンダーの止めピンの他の例を示す斜視図である。
【図６】従来の日捲りカレンダーの一例を示す説明図である。
【図７】従来の日捲りカレンダーの他の例を示す説明図である。
【符号の説明】
【００３８】
１      日捲りカレンダー
２      日捲り紙
３      冊子
４      係留ピン
５      枠体
６      吊り紐
７      破断線
９      接続部
１０、１０Ａ  係留ピン挿通用穴
１１    側板
１２    表板
１３    背板
１４    天板
１５、１５Ａ  吊り紐挿通用穴
１６    補強板
１７    頭部
１８    溝部
１９    係止用キャップ
【図１】
2007044990.tif 000003
【図２】
2007044990.tif 000004
【図３】
2007044990.tif 000005
【図４】
2007044990.tif 000006
【図５】
2007044990.tif 000007
【図６】
2007044990.tif 000008
【図７】
2007044990.tif 000009